(57)【要約】【課題】  部品点数が多くならない方法で、開けやすい小物袋を提供する。【解決手段】  この小物袋１は、２度折り返して取手２５を形成したフィルム２０を背面紙１０に重ねて形成したもので、背面紙１０は、フィルム２０を重ねたときに、フィルム２０の上辺よりも上方に突出した摘代１１を形成可能な大きさに形成されている。この小物袋１内に総菜を入れる場合、総菜で摘代１１を引っ掛け、取手２５を引いて小物袋１を開き、そしてその総菜で、取手２５を引いている方向とは反対方向に背面紙１０を押さえながら、その総菜を背面紙１０上で滑らせ、総菜を開口部分から小物袋１内に入れれば、総菜を小物袋１内に簡単に入れることができる。【選択図】図１
2011189945.tif 000002
【特許請求の範囲】
【請求項１】
総菜等の小物を収納する小物袋において、
背面側紙状部と、
前記背面側紙状部に対し下辺、左辺、右辺で接合した前面側紙状部と、
前記前面側紙状部に、前記前面側紙状部を２度折り返すことによって形成された第１取手部と
を備えることを特徴とする小物袋。
【請求項２】
請求項１に記載の小物袋において、
前記背面側紙状部は、前記前面側紙状部と接合したとき、前記前面側紙状部の上辺よりも上方に突出した突出代を形成可能な大きさに形成されていることを特徴とする小物袋。
【請求項３】
請求項１，２のいずれか１項に記載の小物袋において、
前記背面側紙状部に、前記背面側紙状部を２度折り返すことによって形成された第２取手部を形成したことを特徴とする小物袋。
【請求項４】
請求項１〜３のいずれか１項に記載の小物袋において、
前記前面側紙状部は、透明な材料によって形成されていることを特徴とする小物袋。
【発明の詳細な説明】
【技術分野】
【０００１】
本発明は、総菜等の小物を収納する小物袋に関する
【背景技術】
【０００２】
従来は、スーパー等の店頭で総菜を小分け販売するとき、図６に示すような、背面紙１１０と、この背面紙１１０に対し下辺、左辺、右辺で接合した片面ヒートシール性透明フィルム１２０（以下「フィルム１２０」という）とで形成された小物袋１００を用いていた。
【０００３】
この小物袋１００は、背面紙１１０がフィルム１２０よりもやや大きいもので形成されているため、フィルム１２０の上辺よりも上方に突出した背面紙１１０の上辺部が、この小物袋１００を開けるときに摘む摘代１１１を形成している。
【０００４】
この小物袋１００に総菜を入れるとき、この摘代１１１を指でつまみ、フィルム１２０の上辺部を背面紙１１０から引き離すことで小物袋１００を開け、この開口部から総菜を内部に入れていた。
【発明の概要】
【発明が解決しようとする課題】
【０００５】
しかし、従来の小物袋１００は、背面紙１１０とフィルム１２０とを重ね合わせただけの平面的な形状であり、袋を開けるときに摘代１１１しか引っ掛ける部分がないので、開けにくいという問題があった。
【０００６】
一方で、この問題を解決するため、取手等を取り付けることも考えられるが、部品点数が多くなるので、小物袋の単価が上がるという問題があった。
そこで本発明は、部品点数が多くならない方法で、開けやすい小物袋を提供することを目的とする。
【課題を解決するための手段】
【０００７】
本発明は、上記目的を達成するために、請求項１に記載したように、総菜等の小物を収納する小物袋において、背面側紙状部と、前記背面側紙状部に対し下辺、左辺、右辺で接合した前面側紙状部と、前記前面側紙状部に、前記前面側紙状部を２度折り返すことによって形成された第１取手部とを備えている。
【０００８】
このようにすると、前面側紙状部を２度折り返すだけで小物袋に第１取手部を設けることができるので、この第１取手部を摘んで背面側紙状部に対し前面側紙状部を引くことで、本発明の小物袋を簡単に開けることができる。
【０００９】
また、本発明の小物袋は、他の部品を追加することなく、前面側紙状部を２度折り返すだけで第１取手部を形成できるので、部品点数を増やすことなく、開けやすいものとすることができる。
【００１０】
さらに、本発明の小物袋は、第１取手部を介すれば簡単に開くことができるので、店員が誤って袋の内面に触れてしまうという事故を防止することもできる。
尚、第１取手部を形成するため前面側紙状部を折り返した部分の右端と左端部分を前面側紙状部と接合して留めたい場合は、両面ヒートシール性フィルムを用いるか、前面側紙状部の表裏の両面にヒートシール性を有する樹脂を貼合するか、接合する部分に糊やパートコート剤を塗工してもよい。
【００１１】
ところで、小物袋を開けやすくするため、背面側紙状部については下記のようにしてもよい。
まず、請求項２に記載したように、請求項１に記載の小物袋において、前記背面側紙状部は、前記前面側紙状部と接合したとき、前記前面側紙状部の上辺よりも上方に突出した摘代を形成可能な大きさに形成してもよい。
【００１２】
これによれば、一方の指で背面側紙状部の摘代を摘んで、他方の指で前面側紙状部の第１取手部に指を引っかけ、摘代が動かないように固定して第１取手部を引っ張れば、小物袋を簡単に開くことができる。
【００１３】
従って、本発明を用いると、小物袋を部品点数を多くすることなく開けやすいものとすることができる。
また、請求項３に記載したように、請求項１，２のいずれか１項に記載の小物袋において、前記背面側紙状部に、前記背面側紙状部を２度折り返すことによって形成した第２取手部を形成してもよい。
【００１４】
これによれば、背面側紙状部の第２取手部と、前面紙状部の第１取手部とに指を引っかけてそれぞれ反対方向に引っ張れば、小物袋を簡単に開くことができる。
従って、本発明を用いると、小物袋を部品点数を多くすることなく開けやすいものとすることができる。
【００１５】
次に、請求項４に記載したように、請求項１〜３のいずれか１項に記載の小物袋において、前記前面側紙状部は、透明な材料によって形成されていてもよい。
この小物袋を用いれば、前面側紙状部が透明な材料で形成されているので、小物袋に入れたものを外部から容易に確認することができる。
【図面の簡単な説明】
【００１６】
【図１】本実施形態の小物袋の説明図で、（ａ）は正面図、（ｂ）はＡ−Ａ’断面図、（ｃ）は（ｂ）の上の円部分の拡大図、（ｄ）は（ｂ）の下の円部分の拡大図です。
【図２】本実施形態の小物袋に総菜を入れる様子を示す模式図です。
【図３】本実施形態の小物袋の変形例の説明図で、（ａ）は正面図、（ｂ）はＡ−Ａ’断面図、（ｃ）は（ｂ）の上の円部分の拡大図、（ｄ）は（ｂ）の下の円部分の拡大図です。
【図４】本実施形態の小物袋の変形例の説明図で、（ａ）は正面図、（ｂ）はＡ−Ａ’断面図、（ｃ）は（ｂ）の上の円部分の拡大図、（ｄ）は（ｂ）の下の円部分の拡大図です。
【図５】本実施形態の小物袋の変形例の説明図で、（ａ）は正面図、（ｂ）はＡ−Ａ’断面図、（ｃ）は（ｂ）の円部分の拡大図、（ｄ）は（ｂ）の円部分の拡大図で、小物袋が膨らんでガゼットが広げられた様子を示しています。
【図６】従来の小物袋の説明図で、（ａ）は正面図、（ｂ）はＡ−Ａ’断面図です。
【発明を実施するための形態】
【００１７】
以下に本発明の実施形態を図面と共に説明する。
[第１実施形態]
本実施形態の小物袋１は、図１（ａ）総菜を入れても破れにくく、かつ、油が滲み出しにくく加工されたＰＰ（ポリプロピレン）貼合紙からなる背面紙１０と、両面ヒートシール性透明フィルム２０（以下「フィルム２０」という）とで形成されている。これら背面紙１０とフィルム２０は、上辺１０ａ，２０ａ及び下辺１０ｂ、２０ｂの長さが同じ長方形状に形成されており、下辺を揃えて重ねられている。
【００１８】
フィルム２０は、図１（ｂ）（ｃ）に示すように、フィルム２０の上方側が、フィルム２０の上辺２０ａに平行な第１の折り目２５ａで下方に向かって折返され、さらに、その折り返された部分が、フィルム２０の上辺２０ａに平行な第２の折り目２５ｂで上方に向かって折り返され、取手２５を形成している。
【００１９】
そして、このように折り返されたフィルム２０の下辺２０ｂと、左辺２０ｃ、右辺２０ｄ部分を、図１（ａ）（ｄ）中に斜線で示したように、熱溶着により、背面紙１０の下辺１０ｂ、左辺１０ｃ、右辺１０ｄ部分に接合して、フィルム２０の上辺２０ａ部分で開口する小物袋１が形成される。取手２５を形成するため折り返された部分の右端と左端の部分は、折り重ねられて熱溶着によりフィルム２０上に溶着されている。
【００２０】
また、背面紙１０は、上述したようにフィルム２０を折り返して重ねられたときに、フィルム２０の上辺２０ａよりも上方に突出した摘代１１を形成可能な大きさに形成されている。
【００２１】
このように形成された小物袋１に総菜を収納する場合、図２に示すように、小物袋１に入れようとする総菜を摘代１１に引っ掛けたり、摘代１１を摘んだりする一方で、他方の指でフィルム２０の取手２５に指を引っかけて取手２５を引っ張れば、小物袋１を簡単に開くことができる。
【００２２】
そのため、本実施形態の小物袋１内に総菜を入れる場合、総菜で摘代１１を引っ掛け、取手２５を引いて小物袋１を開き、そしてその総菜で、取手２５を引いている方向とは反対方向に背面紙１０を押さえながら、その総菜を背面紙１０上で滑らせ、総菜を開口部分から小物袋１内に入れれば、総菜を小物袋１内に簡単に入れることができる。
【００２３】
以上説明したように、本実施形態の小物袋１は、取手用の他の部品を用いることなく、フィルム２０を２度折り返すだけで小物袋１に取手２５を設けることができる。
しかも、本発明の小物袋は、摘代１１を摘んだり総菜で引っ掛けて、取手２５を引くだけの簡単な操作で開けることができる。
【００２４】
従って、本実施形態のように小物袋１を形成すると、従来の小物袋に比較して、部品点数を増やすことなく、開けやすいものとすることができる。
（本実施形態の構成と、本発明の発明特定事項との対応関係）
本実施形態の背面紙１０は、本発明の背面側紙状部に相当し、フィルム２０は、前面側紙状部に相当し、取手２５は、第１取手部に相当する。
【００２５】
（その他の実施形態）
上記実施形態では、取手２５を設けたフィルム２０を背面紙１０に重ねたときに、摘代１１ができる大きさの背面紙１０を用いたが、例えば、図３に示すように、背面紙１０として、取手２５が設けられたフィルム２０と同じ大きさのものを用いてもよい。
【００２６】
このようにした場合、図４に示すように、取手１５（本発明の第２取手部に相当）を背面紙１０の側に設けてもよい。
このとき背面紙１０は、図４（ｂ）（ｃ）に示すように、背面紙１０の上方側が、背面紙１０の上辺１０ａに平行な第１の折り目１５ａで下方に向かって折返され、さらに、その折り返された部分が、背面紙１０の上辺１０ａに平行な第２の折り目１５ｂで上方に向かって折り返され、取手１５を形成するようにすればよい。
【００２７】
また、上記実施形態では、透明なフィルム２０を用いたが、これに代えて透明でないものを用いてもよい。
また、上記実施形態ではフィルム２０として両面ヒートシール性透明フィルム２０を用いたが、具体的には、市販の両面ヒートシール性ＯＰＰ（２軸延伸ポリプロピレン）フィルムを用いればよい。
【００２８】
この、フィルム２０としては、２軸延伸ポリエステル（ＯＰＥＴ）フィルムの両面にＰＰ（ポリプロピレン）やＰＥ（ポリエチレン）を貼合してたものを用いてもよい。
この貼合には、押出ラミ、ドライラミ、ウェットラミ、ノンソルラミなどいかなる手段を用いても良い。また、ＯＰＥＴ、ＯＰＰなど透明な腰のあるフィルムの両面に食品衛生上問題なく・背面紙に貼合してある材料に対するヒートシール性を有する材料をコーテイングしても良い。
【００２９】
ＰＰを貼合するかＰＥを貼合するかは、背面紙１０に何を貼合してあるかによって決める。即ち、背面紙１０として、フィルム２０を重ねる側の面にＰＰを貼合した貼合紙を用いる場合は、フィルム２０として、両面ヒートシール性ＯＰＰフィルム、又は、２軸延伸ポリエステルフィルム（ＯＰＥＴ）にＰＰを貼合したものを用いると良い。
【００３０】
また、近年用い始められた植物由来樹脂を用いる場合、背面紙１０として、貼合紙のフィルム２０を重ねる側の面に植物由来樹脂を貼合せたものを用いるとともに、フィルム２０として、植物由来樹脂を用いた両面ヒートシール性植物由来性樹脂フィルムを用いてもよい。
【００３１】
また、ＰＰを貼合した背面紙１０は、ＰＥを貼合した背面紙１０よりも油を通し難い特徴があるため、てんぷら、コロッケ、唐揚げなどスーパーの店内で調理した惣菜を充填・販売するのに大変都合が良い。
【００３２】
また、図５に示すように、背面紙１０又はフィルム２０の下部を上記実施形態のものより長く形成し、その長く形成された部分を山折り、谷折り、さらに山折りするなどして、これらを貼り合わせ、小物袋１の底部にガゼット９が形成されるようにしてもよい。
【００３３】
尚、図５は、背面紙１０の下部をフィルム２０よりも長く形成して、山折り、谷折り、山折りし、図５（ｂ）の一点鎖線αで囲んだ部分のように、その下端部をフィルム２０に貼り合わせたものを例示している。
【００３４】
尚、本発明は、特許請求の範囲に記載された発明の趣旨に合致するものであればよく、上述の実施形態に限定されるものではない。
【符号の説明】
【００３５】
１…小物袋、１０…背面紙、１０ａ…上辺、１０ｂ…下辺、１０ｃ…左辺、１１…摘代、１５…取手、１５ａ…第１の折り目、１５ｂ…第２の折り目、２０…フィルム、２０ａ…上辺、２０ｂ…下辺、２０ｃ…左辺、２５…取手、２５ａ…第１の折り目、２５ｂ…第２の折り目。
【図１】
2011189945.tif 000003
【図３】
2011189945.tif 000004
【図４】
2011189945.tif 000005
【図５】
2011189945.tif 000006
【図６】
2011189945.tif 000007
【図２】
2011189945.tif 000008